(57)【要約】例えばコグニティブ無線ネットワーク内の無線機器は通信のためにローカルに使用可能なスペクトルを発見し、用いる。ビーコン信号伝送は利用可能なスペクトルの発見、スペクトル利用調整、および機器識別を容易にする。新しい領域に入ったかもしれない、および電源を投入されたかもしれない無線端末は通信帯域内のビーコン信号の存在に対する検出のために監視をする。無線端末がビーコンを検出できないとき、無線端末はそのスペクトルは利用可能と仮定し、その領域内にユーザビーコン信号を送信し、それが存在することの通知を他の無線端末に提供する。無線端末はそのビーコン送信区間およびビーコン検出区間の間の調整されたタイミング関係を保持する。これらは継続ベースで実行される。ビーコンＴＸ区間およびビーコン監視区間は電力節約を考慮して全体の時間のわずかな部分である。ピアには既知である調整されたタイミング関係は効率的なピアツーピア通信セッション確立を容易にする。【選択図】      図１０
2009523378.tif 000002
【特許請求の範囲】
【請求項１】
第１の通信帯域において少なくとも１つのビーコンシンボルを含むビーコン信号の少なくとも一部分を検出するために第１の期間中に監視をすることと、
少なくとも１つのビーコンシンボルを含むビーコン信号部分が前記第１の期間中に検出されないときは、第１の信号を前記第１の期間に後続する第２の期間中に送信することとを含む、無線通信機器を動作させる方法。
【請求項２】
前記第２の期間が、前記第１の期間との固定された時間関係を有する請求項１に記載の方法。
【請求項３】
前記第２の期間が、前記第１の期間の開始からの予め定められた時間オフセットを有する請求項１に記載の方法。
【請求項４】
前記第１の信号が、少なくとも１つのビーコンシンボルを含む第２のビーコン信号の少なくとも一部分である請求項１に記載の方法。
【請求項５】
ビーコン信号の前記検出された部分が、識別用の値を伝達する請求項４に記載の方法。
【請求項６】
前記識別用の値が、機器識別子およびユーザ識別子の１つである請求項５に記載の方法。
【請求項７】
前記第１の信号が、前記第１の通信帯域で送信される請求項４に記載の方法。
【請求項８】
前記第１の信号に加えてユーザデータを送信することをさらに含む請求項７に記載の方法。
【請求項９】
前記第１の信号が、前記ユーザデータに先立って送信され、前記ユーザデータおよび前記第１の信号はオーバラップしない期間中に送信される請求項８に記載の方法。
【請求項１０】
前記ユーザデータを送信することが、ユーザデータを第１の帯域内で送信することを含む請求項９に記載の方法。
【請求項１１】
前記無線通信機器がピアツーピアベースで交信しているもう一方の機器からの前記ユーザデータ送信への応答に対する監視をさらに含む請求項９に記載の方法。
【請求項１２】
第１の通信帯域で伝達された少なくとも１つのビーコンシンボルの受信を検出するためのビーコン検出モジュールと、
送信機と、
前記ビーコン検出モジュールの出力の関数として信号送信を制御するための送信制御モジュールとを含む無線通信機器であって、少なくとも１つのビーコンシンボルを含むビーコン信号部分が前記第１の期間中に検出されない場合、前記送信制御モジュールは第１の期間に後続する第２の期間中に第１の信号を送信するように前記送信機を制御する、無線通信機器。
【請求項１３】
前記第２の期間が、前記第１の期間との固定された時間関係を有する請求項１２に記載の機器。
【請求項１４】
前記第２の期間が、前記第１の期間の開始からの予め定められた時間オフセットを有する請求項１２に記載の機器。
【請求項１５】
ビーコンシンボル生成モジュールをさらに含み、
前記第１の信号が少なくとも１つのビーコンシンボルを含む請求項１２に記載の機器。
【請求項１６】
ビーコン信号の検出された一部分によって伝達された識別用の値を決定するためのビーコン情報検出モジュールをさらに含む、請求項１５に記載の機器。
【請求項１７】
前記識別用の値が、機器識別子およびユーザ識別子の１つである請求項１６に記載の機器。
【請求項１８】
前記第１の通信帯域で送信されたビーコン信号部分を受信するための受信機と、
前記受信機および送信機が動作する帯域を制御するための制御モジュールとをさらに含み、前記受信機および送信機は時分割多重化ベースで同じ帯域を用いるように制御される、請求項１５に記載の機器。
【請求項１９】
前記第１の通信帯域で前記第１の信号に加えてユーザデータの送信を制御するためのユーザデータ送信制御モジュールをさらに含む、請求項１８に記載の機器。
【請求項２０】
前記第１の信号が、前記ユーザデータに先立って送信され、
前記ユーザデータ送信制御モジュールは前記ユーザデータの送信が前記第１の信号の送信とオーバラップしない送信期間に起こるように制御する、請求項１９に記載の機器。
【請求項２１】
前記ユーザデータ送信制御モジュールが、ユーザデータが第１の帯域内で送信されるようにユーザデータの送信を制御する、請求項２０に記載の機器。
【請求項２２】
前記無線通信機器がピアツーピアベースで交信しているもう一方の機器からの前記ユーザデータ送信への応答を検出するための応答検出モジュールをさらに含む、請求項２０に記載の機器。
【請求項２３】
第１の通信帯域で伝達された少なくとも１つのビーコンシンボルの受信を検出するためのビーコン信号検出手段と、
送信手段と、
前記ビーコン信号検出手段の出力の関数として信号送信を制御するための前記送信手段を制御する手段とを含む無線通信機器であって、少なくとも１つのビーコンシンボルを含むビーコン信号部分が前記第１の期間中に検出されない場合、前記制御する手段は第１の期間に後続する第２の期間中に第１の信号を送信するように前記送信手段を制御する、無線通信機器。
【請求項２４】
前記第２の期間が、前記第１の期間との固定された時間関係を有する請求項２３に記載の機器。
【請求項２５】
前記第２の期間が、前記第１の期間の開始からの予め定められた時間オフセットを有する請求項２３に記載の機器。
【請求項２６】
ビーコンシンボルを生成する手段をさらに含み、
前記第１の信号が少なくとも１つのビーコンシンボルを含む請求項２３に記載の機器。
【請求項２７】
ビーコン信号の検出された部分によって伝達された識別用の値を決定するためにビーコン信号から情報を復元する手段をさらに含む、請求項２６に記載の機器。
【請求項２８】
前記識別用の値が、機器識別子およびユーザ識別子の１つである請求項２７に記載の機器。
【請求項２９】
無線通信機器を動作させる方法を実施するための機械実行可能な命令を収納する計算機可読媒体であって、前記方法が、
第１の通信帯域において少なくとも１つのビーコンシンボルを含むビーコン信号の少なくとも一部分を検出するために第１の期間中に監視をすることと、
少なくとも１つのビーコンシンボルを含むビーコン信号部分が前記第１の期間中に検出されないときは第１の信号を前記第１の期間に後続する第２の期間中に送信することとを含む、計算機可読媒体。
【請求項３０】
前記第２の期間が、前記第１の期間との固定された時間関係を有する請求項２９に記載の計算機可読媒体。
【請求項３１】
前記第２の期間が、前記第１の期間の開始からの予め定められた時間オフセットを有し、計算機可読媒体が予め定められた時間オフセットを含む機械実行可能な命令をさらに含む請求項２９に記載の計算機可読媒体。
【請求項３２】
前記第１の信号が、少なくとも１つのビーコンシンボルを含む第２のビーコン信号の一部分である請求項２９に記載の計算機可読媒体。
【請求項３３】
ビーコン信号の前記検出された部分が識別用の値を伝達し、計算機可読媒体がビーコン信号の前記検出された部分から識別用の値を復元するための機械実行可能な命令をさらに収納する、請求項３２に記載の計算機可読媒体。
【請求項３４】
前記識別用の値が、機器識別子およびユーザ識別子の１つである請求項３３に記載の計算機可読媒体。
【請求項３５】
第１の通信帯域において少なくとも１つのビーコンシンボルを含むビーコン信号の少なくとも一部分を検出するために第１の期間中に監視をするように、および
少なくとも１つのビーコンシンボルを含むビーコン信号部分が前記第１の期間中に検出されないときは第１の信号を前記第１の期間に後続する第２の期間中に送信するように、構成されたプロセッサを含む装置。
【請求項３６】
前記第２の期間が、前記第１の期間との固定された時間関係を有する請求項３５に記載の装置。
【請求項３７】
前記第２の期間が、前記第１の期間の開始からの予め定められた時間オフセットを有し、前記プロセッサが、
前記第１の信号の送信時間の開始を決定する際に、予め定められた時間オフセットを用いるようにさらに構成された、請求項３５に記載の装置。
【請求項３８】
前記第１の信号が、少なくとも１つのビーコンシンボルを含む第２のビーコン信号の少なくとも一部分である請求項３５に記載の装置。
【請求項３９】
ビーコン信号の前記検出された部分が識別用の値を伝達し、プロセッサが、
ビーコン信号の前記検出された部分から識別用の値を復元するようにさらに構成された、請求項３８に記載の装置。
【請求項４０】
前記識別用の値が、機器識別子およびユーザ識別子の１つである請求項３９に記載の装置。  
【発明の詳細な説明】
【技術分野】
【０００１】
本特許出願は、２００６年１月１１日に出願された米国仮出願番号60/758,011、名称“METHODS AND APPARATUS FOR USING BEACON SIGNALS FOR IDENTIFICATION, SYNCHRONIZATION OR ACQUISITION IN AN AD HOC WIRELESS NETWORK”（アドホック無線ネットワークにおける識別、同期または捕捉のためにビーコン信号を用いる方法および装置）、２００６年１月１１日に出願された米国仮出願番号60/758,010、名称“METHODS AND APPARATUS FOR FACILITATING IDENTIFICATION, SYNCHRONIZATION OR ACQUISITION USING BEACON SIGNALS”(ビーコン信号を用いて識別、同期または捕捉を容易にするための方法および装置)、２００６年１月１１日に出願された米国仮出願番号60/758,012、名称“METHODS AND APPARATUS FOR USING BEACON SIGNALS IN A COGNITIVE RADIO NETWORK”(コグニティブ無線ネットワークにおいてビーコン信号を用いるための方法および装置)、２００６年１０月２７日に出願された米国仮出願番号60/863,304、２００６年９月１５日に出願された米国仮出願番号60/845,052、および２００６年９月１５日に出願された米国仮出願番号60/845,051の利益を主張する。これらの各々は参照によってここに組み込まれ、これらのすべては本譲受人に譲渡されている。
【０００２】
本発明は無線通信における信号伝送のための方法および装置に関する。より詳細には、無線ネットワーク、例えばコグニティブ無線ネットワークにおいてスペクトラム利用可能性を検出するためにビーコン信号を用いるための方法および装置に関する。
【背景技術】
【０００３】
無線スペクトルは高価で貴重な資源であるが、スペクトルのかなり広い部分はしばしば使用されなくなる。コグニティブ無線の概念によれば、無線機器は通信用にローカルに利用可能であり使用可能であるスペクトルを発見し用いることができる。無線機器は利用可能なスペクトルを動的に再利用するために、その位置を含む環境を感知することができるべきであり、それに従って電力および搬送周波数を含むその通信パラメータを変えることができるべきである。コグニティブ無線の鍵となる技術的問題はスペクトルの利用可能性を頑健で電力効率の良い方法で検出することである。例えば、端末が電力投入直後または新しい領域に移動して入る場合、その端末はその地理的領域の近くで現在用いられているかもしれない通信パラメータの知識または技術に関する知識さえ持っていないかもしれない。検出方法は、例えばタイミングおよび周波数の同期がとれていないことを含む種々の不確定さに対して頑健でなければならない。電力効率は端末の電池の寿命に大きな影響をおよぼし、従って、無線システムの別の重要な課題である。
【０００４】
上記の検討に鑑みて、無線ネットワークにおいてスペクトルの利用可能性を検出するための新しい改良された方法に対する要求があることが理解されるべきである。
【発明の開示】
【発明の概要】
【０００５】
種々の実施例に従って、無線端末がスペクトル帯域の使用を開始する前に、無線端末はスペクトル帯域が使用可能であるかどうかを決定するためにスペクトル帯域を走査することになる。走査のステップはスペクトル帯域内のビーコン信号を探索することを含む。
【０００６】
１つの代表的実施例において、ビーコン信号はスペクトル帯域内のビーコン信号バーストのシーケンスを含み、各ビーコンバーストは１つ以上のビーコンシンボルを含む。ビーコンシンボルは１つのビーコンシンボル送信ユニットを用いて送信される。ビーコン信号バーストは１つ以上のビーコンシンボルを含み、ビーコンシンボル数はビーコンシンボルバーストのビーコンシンボル送信ユニットのわずかな部分、例えば≦１０％、を占める。いくつかの代表的直交周波数分割多重（ＯＦＤＭ）システムにおいて、各ビーコンシンボルはＯＦＤＭの１シンボル期間にわたって単一のトーンである。いくつかの代表的直交周波数分割多重（ＯＦＤＭ）システムにおいて、各ビーコンシンボルは小さい数、例えば１、２、３または４のＯＦＤＭシンボル期間にわたって単一のトーンである。いくつかの実施例において、ビーコン信号バーストは１つ以上のトーン、例えば単一トーンまたは２、３もしくは４トーンのような小数のトーンを含む。これらのトーンは小数の送信シンボル期間、例えば１または２シンボル送信期間にわたってビーコンシンボルを伝送するために用いられる。ビーコン信号バーストは第１と第２のビーコン信号バースト間に多くのシンボル期間があるようにするため間欠的（すなわち非連続的）に送信される。引き続くビーコン信号バーストは予め定められたまたは擬似ランダムなトーンホッピングシーケンスに従ってビーコンシンボルに対して異なるトーンを用いるかもしれないし、時には用いる。
【０００７】
種々の実施例に従って、少量の情報を搬送するためにビーコン信号を用いることができる。代表的ＯＦＤＭシステムにおいて、与えられたバースト内のビーコンシンボルの（複数の）トーンの周波数、引き続くバースト間の時間間隔、および／またはトーンホッピングシーケンスに情報を含めることができる。ビーコン信号によって搬送される情報は、種々の実施例において、送信機に関する少なくとも以下の１つを含む：識別子、形式、優先度レベル、現在の送信電力値、および最大電力情報、例えば送信機が送信し得る最大電力。
【０００８】
無線端末がビーコン信号探索ステップにおいてビーコン信号を検出していない場合、いくつかの実施例において、端末はそのスペクトル帯域を使用できる。それ以外の場合、一実施例においては、無線端末はスペクトル帯域を用いることができない。
【０００９】
無線端末が、候補スペクトル帯域が使用可能であると決定すると、無線端末はそのスペクトルの利用、例えばデータもしくは制御信号の送信／受信または別の無線端末とのピアツーピア通信セッションの確立、を開始するかもしれない。一実施例において、無線端末の送信電力は無線端末の形式または優先度レベルの関数である。
【００１０】
種々の実施例の一態様に従って、無線端末がスペクトルを用いている間に、無線端末はスペクトル帯域内でそれ自身のユーザビーコン信号を送信する。異なる無線端末によって送信されるユーザビーコン信号はビーコン信号によって搬送される情報によって互いに異なるかもしれないし、時には異なる。一実施例において、複数の無線端末は異なるサービス優先度レベルにあり、異なるユーザビーコン信号に対応している。
【００１１】
種々の実施例の別の一態様に従って、無線端末がスペクトルを用いている間に無線端末はスペクトルを受信し、別の無線端末によって送られるかもしれないビーコン信号の検出を試みる。無線端末は、数シンボル期間の区間、連続的に受信モード（すなわち、オン時間）にあるかもしれない。端末が電源節約モードにあり、いかなる信号も受信しない、例えば受信モジュールの電源がオフであるオフ時間がオン時間に続く。あるいはまた、無線端末がスペクトルを用いている間、無線端末は連続的に受信モードであるかもしれない。
【００１２】
一実施例において、第１の無線端末が第２の無線端末からのユーザビーコン信号の存在を検出すると、第１の無線端末が現在スペクトル帯域を用いている否かに拘わらず、その無線端末は優先度レベルを比較する必要がある。第２の無線端末の優先度レベルがより高い場合、第１の無線端末はスペクトル帯域を使用不可と判断する。さらに、第１の無線端末は、第１の無線端末が現在スペクトル帯域を用いている場合、スペクトル帯域の使用を中止しなければならない。その結果、より高い優先度のユーザまたはサービスは第１の無線端末からの干渉を受けずにスペクトル帯域を用いることができる。第２の無線端末の優先度レベルが低い場合、第１の無線端末はスペクトル帯域が使用可能であると判断する。第１の無線端末がそのスペクトルを用いていない場合、第１の無線端末はそれ自身のユーザビーコン信号を送信開始できるかもしれない。いくつかの実施例において、第１の無線端末は検出されたビーコン信号から第２の無線端末のタイミングおよび／または周波数を導出し、次にその情報を用いてそれ自身のユーザビーコン信号を送信するためのタイミングおよび／または周波数を決定する。第２の無線端末もユーザビーコン信号を検出するために受信中と仮定すると、有利には、上記同期は第１の無線端末のユーザビーコン信号が第２の無線端末によって受信されることの助けとなり、その結果第２の無線端末はスペクトルを用いることを中止するだろう。
【００１３】
種々の実施例の別の態様に従って、無線端末は、無線端末と検出されたビーコン信号に対応する送信機との間の伝搬損を推定する。この推定はビーコン信号の受信電力に基づくことができるし、時には基づく。伝搬損が十分大きい場合、例えば予め定められたレベルより大きい場合、無線端末はスペクトル帯域を用いることができる。
【００１４】
種々の実施例に従って、１つの地理的領域において、いずれかのノード、例えば無線端末または基地局が、あるスペクトル帯域でデータセッションにある場合、そのノードはそのスペクトル帯域内でノードビーコン信号を送信する必要がある。データセッションにおいて、ノードは制御またはデータ信号を送信または受信しているかもしれない。その領域内で異なるノードが、各無線端末が種々のサービス、例えば異なる技術でサポートされるかもしれない携帯電話、無線加入者線、ディジタルテレビ等、の少なくとも１つを用いている状態で共存するかもしれない。
【００１５】
種々の実施例に従って、無線通信機器を動作させる代表的方法は以下を含む：第１の通信帯域内の少なくとも１つのビーコンシンボルを含むビーコン信号の少なくとも一部分を検出するための第１の期間中の監視；および少なくとも１つのビーコンシンボルを含むビーコン信号部分が前記第１の期間中に検出されないとき、第１の信号を第１の期間に後続する第２の期間中に送信すること。種々の実施例に従って、代表的無線通信機器は以下を含む：第１の通信帯域内の少なくとも１つのビーコンシンボルの受信を検出するためのビーコン検出モジュール；送信機；前記ビーコン検出モジュールの出力の関数として信号送信を制御するための送信制御モジュールであって、前記送信制御モジュールは、少なくとも１つのビーコンシンボルを含むビーコン信号部分が第１の期間中に検出されない場合、第１の信号を前記第１の期間に後続する第２の期間中に送信するように前記送信機を制御する、送信制御モジュール。
【００１６】
上記の概要で種々の実施例を論じたが、必ずしもすべての実施例が同じ特徴を含まなくとも良く、上述の特徴のいくつかは必要ではないがいくつかの実施例において望ましい場合があるということが理解されるべきである。以下の詳細な説明において多くの付加的機能、実施例および利点について検討する。  
【詳細な説明】
【００１７】
図１に種々の実施例に従って実施される代表的コグニティブ無線通信ネットワーク１００を示す。２つの無線端末、すなわち、第１の無線端末１０２および第２の無線端末１０４が地理的領域１０６内にある。例えばシステムビーコン送信器を含むシステム端末１０５はいくつかの実施例に含まれる。あるスペクトル帯域が、通信、例えばピアツーピア通信、のために前記２つの端末で使用可能である。
【００１８】
コグニティブ無線ネットワークには、通常ネットワークインフラストラクチャがない。種々の説明される新規な方法、装置および特徴は種々の無線ネットワークで用いられるかもしれないが、インフラストラクチャが限定的または欠けているネットワーク、例えば無線端末がネットワークに関する情報を見つける必要があるかもしれないコグニティブ無線ネットワークにおける使用に特に良く適している。無線端末は共通のタイミングまたは周波数基準を有していないかもしれない。実際に、そのようなネットワークにおいて、無線端末は与えられたスペクトル帯域が現在の地理的領域内の無線端末によって使用可能であるかどうかを決定する必要がある。コグニティブ無線の鍵となる考え方は無線端末にその環境を検知させ、利用可能なスペクトルを発見させることである。スペクトルの利用可能性はその環境の関数である。
【００１９】
図２に種々の実施例に従って実施されるコグニティブ無線ネットワーク内のスペクトル帯域の使用を制御するためにビーコン信号を用いる代表的方法のラダー図２００を示す。
【００２０】
縦軸２０１は時間を表す。この代表的コグニティブ無線ネットワークには３個の代表的端末、ＷＴＡ２０２、ＷＴＢ２０４、およびＷＴＣ２０６がある。初期にはどの無線端末（２０４、２０６、２０８）も電源が入っていないと仮定する。
【００２１】
まず最初に、無線端末Ａ２０２の電源が入れられる。無線端末Ａ２０２はスペクトル帯域を用いることができるようになる前に、ユーザビーコン信号を探索するために、まず帯域を走査する（２０８）。無線端末Ａ２０２はその領域内で唯一のアクティブ端末であるため、どのユーザビーコン信号も検出しない。したがって、無線端末Ａ２０２はそのスペクトル帯域が使用可能であると決定する（２１０）。無線端末Ａ２０２はスペクトルの使用を開始する（２１２）。無線端末Ａ２０２はその存在を示すために、そのユーザビーコン信号を放送する（２１４）。
【００２２】
遅れて、無線端末Ｂ２０４の電源が入れられる。無線端末Ｂ２０４はスペクトル帯域を用いることができるようになる前に、ユーザビーコン信号を探索するために、まず帯域を走査する（２１６）。無線端末Ｂ２０４は端末Ａにより送信されたユーザビーコン信号を検出する（２１８）。無線端末Ｂ２０４は、例えば端末Ａの検出したビーコン信号または別の放送チャンネルから、無線端末Ａがピアツーピア通信に利用可能であることをさらに知る（２２０）。従って無線端末Ｂ２０４はそのスペクトルを用いることを決定する。無線端末ＡおよびＢ（２０２、２０４）はピアツーピアセッションを設定する（２２４）。双方の無線端末（２０２、２０４）がアクティブであるため、それら双方はそれぞれユーザビーコン信号を放送する（２２８および２２６）。いくつかの実施例において、どちらかの無線端末がそれ自身のユーザビーコン信号を放送する。他の実施例において、２つの端末（２０２、２０４）はそれらのセッションの優先度レベルを決定し、送るべきユーザビーコン信号を決定するためにそれを用いる。例えば、セッション優先度レベルはどちらかの端末の最大優先レベルである。
【００２３】
遅れて、無線端末Ｃ２０６の電源が入れられる。無線端末Ｃ２０６はスペクトル帯域を用いることができるようになる前に、ユーザビーコン信号を探索するために、まず帯域を走査する（２３０）。無線端末Ｃ２０６は端末Ａ２０２または端末Ｂ２０４により送信されたユーザビーコン信号を検出する（２３２）。無線端末Ｃ２０６は、例えば端末ＡまたはＢの検出したビーコン信号または別の放送チャンネルから、実行中のセッションがあることをさらに知る（２３４）。無線端末Ｃ２０６は検出されたビーコン信号の優先度レベルも知り、自身の優先度レベルとそれらを比較する（２３６）。無線端末Ｃ２０６の優先度レベルが低い場合、無線端末Ｃ２０６はスペクトル帯域が利用可能ではないと決定し（２３８）、その他の場合は無線端末Ｃ２０６は自身のユーザビーコン信号の送信を開始するかもしれない。このような場合には、無線端末ＡおよびＢ（２０２、２０４）の双方は無線端末Ｃ２０６からのユーザビーコン信号を検出するだろう。次に双方は彼らのセッションを中止／中断し、そのスペクトルの使用を中止しなければならない。
【００２４】
種々の実施例に従って、ビーコン信号はスペクトル帯域内のビーコン信号バーストのシーケンスを含み、各ビーコン信号バーストは１つ以上のビーコンシンボルを含む。ビーコンシンボルはビーコンシンボル送信ユニットを用いて送信される。ビーコン信号バーストは小数のビーコンシンボルを含み、そのビーコンシンボル数はビーコンシンボルバーストのビーコンシンボル送信ユニットのわずかな部分を占める。いくつかの代表的ＯＦＤＭシステムにおいて、ビーコンシンボルはＯＦＤＭの１シンボル期間にわたり、１トーンである。いくつかの代表的ＯＦＤＭシステムにおいて、ビーコンシンボルは小さい数、例えば１，２，３または４、の引き続くＯＦＤＭシンボル期間にわたって、１トーンである。いくつかの実施例において、ビーコン信号バーストは１つ以上のトーン、例えば単一トーンまたは２，３もしくは４トーンのような小さい数のトーンを含む。これらのトーンは小数の送信シンボル期間、例えば１または２シンボル期間、にわたってビーコンシンボルを伝送するために用いられる。無線送信機は第１と第２のビーコン信号バースト間に多くのシンボル期間があるようにするためにビーコン信号バーストを間欠的（すなわち非連続的）に送信する。図３に代表的ＯＦＤＭシステムにおける代表的ビーコン信号を図面３００および３５０で示す。
【００２５】
図面３００において、横軸３０２は時間を表し、縦軸３０４は周波数を表す。縦の列は与えられたシンボル期間のトーンの各々を表す。各小さい箱３０６はトーン-シンボルを表す。これは単一送信シンボル期間にわたって単一トーンである。図面３５０において、横軸３５２は時間を表し、縦軸３０４は周波数を表す。縦の列は与えられたシンボル期間のトーンの各々を表す。各小さい箱３５６はトーン-シンボルを表す。これは単一送信シンボル期間にわたって単一トーンである。ＯＦＤＭシンボルの最小の送信ユニットは１トーン-シンボルである。この代表的実施例において、ビーコンシンボル送信ユニットはＯＦＤＭのトーン-シンボルである。
【００２６】
ビーコン信号はビーコン信号バーストのシーケンスを含む。このバーストは時間に沿って順次送信され、各ビーコンシンボルバーストは１つ以上のビーコンシンボルを含む。種々の実施例において、ビーコン信号バーストはビーコンシンボル、例えば単一トーン、を小数の送信シンボル期間、例えば１つまたは２つのシンボル期間にわたり伝送する小数のトーンを含む。図３の図面３００に４個の小さい黒い四角（３０８、３１０、３１２、３１４）を示す。これらの各々はビーコンシンボルを表す。この場合、１ビーコンシンボルは１トーン-シンボルの無線リンク資源を用いる。別の代表的実施例において、１ビーコンシンボルは２つの連続したシンボル期間にわたり１つのトーンを用い、２つのＯＦＤＭトーン-シンボルの無線リンク資源を用いる。
【００２７】
ビーコン信号のビーコンシンボルトーンまたは複数のビーコンシンボルトーンはバースト毎に変化（ホップ）する。種々の実施例に従って、ビーコン信号の、前記ビーコンシンボルまたは複数のビーコンシンボルに用いるトーンおよびバースト間区間を含むトーンホッピングパターンは、いくつかの実施例においては、送信機、例えば端末の関数である。また、前記ホッピングパターンは送信機の識別もしくは送信機が属する形式の識別として、または送信電力もしくは端末の送信しうる最大電力を示すために用いられ得る。
【００２８】
いくつかの実施例において、異なるユーザビーコン信号は以下の少なくとも１つの点で互いに異なる：ビーコン信号バーストの周期、ビーコン信号バースト内のビーコンシンボルに用いられるトーンまたは複数トーン、および引き続くビーコン信号バーストで用いられるビーコンシンボルトーンのホッピングパターン。
【００２９】
例えば、図３に２つの代表的ビーコン信号（３２４、３７４）を示す。第１のビーコン信号３２４が第１の無線端末によって送られる第１のユーザビーコン信号であり、またビーコン信号バースト（３１６、３１８、３２０、３２２）およびビーコンシンボル（３０８、３１０、３１２、３１４）をそれぞれ含むと見なす。第２の無線端末により送られる第２のビーコン信号３７４はビーコン信号バースト（３６６、３６８、３７０、３７２）およびビーコンシンボル（３５８、３６０、３６２、３６４）をそれぞれ含む。上図３００は１つの無線端末により送られたユーザビーコン信号３２４を示し、下図３５０は別の無線端末により送られた別のユーザビーコン信号３７４を示す。この例において、２つのビーコン信号は同一周期を有するが、異なるトーンホッピングシーケンスを有する。明確には、代表的第１の無線端末のビーコン信号３２４のトーンは第１の傾斜に従い、代表的第２の無線端末のユーザビーコン信号３７４のトーンは第２の傾斜に従う。ここで第１の傾斜は第２の傾斜よりも大きい。
【００３０】
いくつかの実施例において、代表的システムビーコン信号、例えば、基地局および／または固定位置ビーコン送信機からのビーコン信号、は第１の傾斜または第１の傾斜のセットに従い、代表的ユーザビーコン信号は第２の傾斜または第２の傾斜のセットに従い、第１の傾斜は第２の傾斜と異なり、および／または傾斜の第１のセットは傾斜の第２のセットと重なり合うところがない。
【００３１】
１つの代表的実施例において、高優先度のサービス、例えば法律の行使または消防署の業務、および低優先度のサービス、例えば一般データサービスがスペクトル帯域を共有すると仮定する。大部分の時間、高優先度サービスは全く活動せず、その間、低優先度はスペクトル帯域全体をサービスに用いることができる。しかし、高優先度サービスがそのスペクトルを用いる必要があるときには、低優先度サービスを中止しなければならないことが望ましい。低優先度サービスに関連しているセッションは終了されなければならない。この目的を達成するために、種々の実施例に従って、異なるサービスレベルに関連する端末は異なるユーザビーコン信号を、例えば異なる優先度レベルを伝えるために用いる。
【００３２】
代表的一実施例を考察する。使用可能性のために無線端末がスペクトルを走査しているとき、または既に無線端末がスペクトル帯域を用いて通信セッションにあるときは、無線端末はユーザビーコン信号を探索し続けなければならない。無線端末がそれ自身の優先度より高い優先度を有するユーザビーコン信号の存在を検出する場合、無線端末は対応するスペクトル帯域を使用不可能とみなす。無線端末は、もし使っていれば通信セッションを終了しなければならず、また別の候補スペクトル帯域の走査に進むかもしれない。これは結果として高優先度端末またはサービスによって用いられるためのクリーンなスペクトル帯域を生む。
【００３３】
図４の図面４００に種々の実施例に従って実施されるビーコン信号バーストに対する監視の一実施例を示す。無線端末はスペクトル帯域を受信して異なる無線端末によって送信されるかもしれないユーザビーコン信号の検出を試みる。無線端末は、いくつかのシンボル期間の区間において、連続的に受信モードにあるかもしれない。それは、オン時間と呼ばれる。オン時間（４０２）に後続して、無線機器が電力節約モードにあり信号を受信しないオフ時間がある。オフ時間において、無線端末は受信機モジュールの電源を完全に切るかもしれない。オフ時間４０６が終わると、無線端末はオン時間４０４を再開し、ビーコン信号の検出を再び開始する。上記の手順を繰り返す。
【００３４】
いくつかの実施例において、オン時間区間の長さはオフ時間区間の長さより短い。一実施例において、オン時間区間はオフ時間区間の１／５以下である。一実施例において、オン時間区間の各々の長さは同じであり、オフ時間区間各々の長さも同じである。
【００３５】
いくつかの実施例において、第２の無線端末が実際に第１の無線端末の近傍に存在する場合、オフ時間区間の長さは第１の無線端末が別の（第２の）無線端末の存在を検出するためのレイテンシ要求に依存する。オン時間区間の長さは第１の無線端末がオン時間区間内で少なくとも１つのビーコン信号バーストを高い確率で検出するように決定される。一実施例において、オン時間区間の長さはビーコン信号バーストの送信継続時間と、次のビーコン信号バーストとの間の時間の少なくとも１つの関数である。例えば、オン時間区間の長さはビーコン信号バーストの送信継続時間と、次のビーコン信号バーストとの間の時間の少なくとも和である。
【００３６】
図５に種々の実施例に従って実施される代表的第１の無線端末で用いられる無線端末を動作させる代表的方法のフローチャート５００を示す。代表的方法の動作はステップ５０１で始まる。ここで、第１の無線端末は電源を入れられ、初期化され、ステップ５０２へ進む。
【００３７】
ステップ５０２において、代表的第１の無線端末はスペクトル帯域を走査することによってユーザビーコン信号の探索を開始するかもしれない。次に、ステップ５０４において、第１の無線端末は第２の無線端末からのユーザビーコン信号が検出されたかどうかをチェックする。答えが「いいえ」の場合、次に動作はステップ５０４からステップ５１６へ進む。ここで第１の無線端末はスペクトルが使用可能であると決定する。その他の場合、第１の無線端末はビーコン信号を検出しており、動作はステップ５０４からステップ５０６へ進む。ここで、第１の無線端末は検出されたユーザビーコン信号の優先度レベルと自身の優先度レベルとを比較する。ステップ５０８において、第１の無線端末は検出されたビーコンが自身の優先度レベルより高い優先度レベルを有しているかどうかをチェックする。答えが「いいえ」の場合、次に動作はステップ５０８からステップ５１６へ進む。ここで、第１の無線端末はスペクトルが使用可能であると決定する。その他の場合、動作はステップ５０８からステップ５１０へ進む。ステップ５１０において、第１の無線端末は第１の無線端末から第２の無線端末までの伝搬損を決定する。
【００３８】
一実施例において、ビーコン信号は第２の無線端末の送信電力に関する情報を搬送する。従って、第１の無線端末は送信電力と第１の無線端末によって測定された受信電力とから伝搬損を決定できる。ビーコン信号の各々が同じ電力レベルで送られる特殊な場合においては、ビーコン信号自身は第２の無線機器の送信電力に関する情報を搬送する必要はない。第１の無線端末は既知の、例えば予め定められたビーコンレベルの、送信電力と第１の無線端末によって測定された受信電力から伝搬損を決定できる。動作はステップ５１０からステップ５１２へ進む。
【００３９】
ステップ５１２において、第１の無線端末は伝搬損が例えば予め定められ記憶された伝搬損レベルに比較して十分大きいかどうかを決定する。答えが「はい」の場合、次に動作はステップ５１２からステップ５１６へ進む。ステップ５１６において、第１の無線端末はスペクトルが使用可能であると決定する。その他の場合は、動作はステップ５１２からステップ５１４へ進む。ここで、第１の無線端末はスペクトルが使用可能ではないと決定する。
【００４０】
第１の無線端末がステップ５１６においてスペクトルが使用可能であると決定すると、第１の無線端末は例えばピアツーピアのような通信リンクを確立するためにスペクトルを用いるかもしれない。動作はステップ５１６からステップ５１８へ進む。ここで、第１の無線端末は自身のユーザビーコン信号を送信することを含むスペクトルの使用を開始する。一方、第１の無線端末は、例えば受信機動作に関して周期的にオン時間モードにあり、ステップ５０２に示したようにユーザビーコン信号を探索するためにスペクトル帯域を走査しなければならない。
【００４１】
通常、コグニティブ無線ネットワーク内の端末は端末の各々がそこから同期情報を導出できるような共通信号源を有しない。種々の代表的実施例の特徴に従って、無線端末は、例えばビーコン送信機を含む固定位置システム端末によって送信されるような、特別な送信機によって送信されるシステムビーコン信号から導出されるタイミングおよび／または周波数情報を用いる。固定位置システム端末は他のネットワークノードと接続されるかもしれないし、されないかもしれない。またビーコン信号を送信することに加えて付加的な無線機能を含むかもしれないし、含まないかもしれない。いくつかの実施例において、固定位置システム端末だけが持つ機能は無線端末によって基準として用いられるシステムビーコン信号を送信することである。有利には、端末が共通のタイミングおよび／または周波数基準を有し、それにより互いに同期される。詳述するために、図６の図面６００に種々の実施例に従って実施されるタイミング同期情報の利用の一例を示す。
【００４２】
横軸６０１は時間を表す。第２の無線端末はビーコン信号バースト６０２、６０４、６０６等のシーケンスを含むユーザビーコン信号６０８を送信する。第１の無線端末は電源が投入され、それらのビーコンバーストを検出すると仮定する。第１の無線端末が第２の端末より高い優先度レベルを有しており、かつ第１の無線端末がスペクトルの使用を意図していると仮定する。
【００４３】
第１の無線端末は第２の無線端末が他のユーザビーコンに対する監視をする期間である第２の無線端末の受信機のオン時間区間を予測する。この予測は検出されたビーコンバースト６０２、６０４および６０６の推定されたタイミングの関数である。例えば、図６において、端末のオン時間区間は同じ無線端末によって送られたビーコン信号バーストの始まりからの既知の時間オフセット６１２を有する時間から始まる。したがって、第１の無線端末が第２の無線端末の送信機のビーコンバーストのタイミングを決定すると、第２の無線端末の受信機のタイミングを既知の関係から決定することが可能である。
【００４４】
自身のユーザビーコン信号をランダムに選択した時間に送信するよりも、図６に示す代表的シナリオにおいて、第１の無線端末は第２の無線端末が受信している期間（６１０）に送信することを選択（６１４）したほうがよい。第２の無線端末は第１の無線端末によって送られたユーザビーコン信号を検出し、次に、自身の優先度レベルが低いため、スペクトル帯域を用いることの中止を決める。
【００４５】
上記の同期がない場合には、第２の無線端末が第１の無線端末によって送られたユーザビーコン信号を検出するために、はるかに長い時間を要することに注意のこと。他の場合には、第２の無線端末は検出のレイテンシを短縮するためにはるかに長い区間の間、受信モードに留まる必要があるかもしれない。このように、同期は無線端末がビーコン信号を著しく早くかつより電力効率的に検出する助けとなる。
【００４６】
図７に種々の実施例に従って実施される代表的無線端末７００の詳細な例示図を示す。図７に示した代表的無線端末７００は図１に示した無線端末１０２および１０４のいずれかの１つとして用いられるかもしれない装置を詳細に示したものである。図７の実施例において、無線端末７００はバス７０６によって互いに接続されたプロセッサ７０４、無線通信インタフェースモジュール７３０、ユーザ入力／出力インタフェース７４０、およびメモリー７１０を含む。従って、バス７０６を介して、端末の７００の種々の構成部品は情報、信号、およびデータを交換できる。無線端末７００の構成部品７０４、７０６、７１０、７３０、７４０はケース７０２の内部に置かれる。
【００４７】
無線通信インタフェース７３０は無線端末７００の内部の構成部品が外部機器および別の端末から／へ信号を送信および受信できるようにする手段を提供する。無線通信インタフェース７３０は、例えば受信機モジュール７３２および送信機モジュール７３４を含む。これらはデュプレクサ７３８を介して、無線端末７００を例えば無線通信チャネルを介して他の端末と接続するために用いられるアンテナ７３６に接続される。
【００４８】
代表的無線端末７００は、例えばキーパッドのようなユーザ入力機器７４２および例えばディスプレイのようなユーザ出力機器７４４を含む。それらはユーザ入力／出力インタフェース７４０を介してバス７０６に接続される。従って、ユーザ入力／出力機器７４２、７４４はユーザ入力／出力インタフェース７４０およびバス７０６を介して情報、信号およびデータを無線端末７００の他の構成部品と交換できる。ユーザ入力／出力インタフェース７４０と関連機器７４２、７４４はユーザが種々のタスクを達成するために無線端末７００を動作させることができるようにする手段を提供する。特に、ユーザ入力機器７４２およびユーザ出力機器７４４はユーザが無線端末７００および無線端末７００のメモリー７１０内で実行する例えばモジュール、プログラム、ルーチンおよび／または関数のような、アプリケーションを制御することを可能とする機能を提供する。
【００４９】
メモリー７１０に含まれる種々のモジュール、例えばルーチンの制御下にあるプロセッサ７０４は以下で検討するように種々の信号伝送および処理を実行するために端末７００の動作を制御する。メモリー７１０に含まれるモジュールは始動時または他のモジュールの合図に応じて、実行される。モジュールは、実行されると、データ、情報、および信号を交換するかもしれない。モジュールは、実行されると、データおよび情報の共有もするかもしれない。図７の代表的実施例において、無線端末７００のメモリー７１０は信号伝送／制御モジュール７１２および信号伝送／制御データ７１４を含む。
【００５０】
信号伝送／制御モジュール７１２は、例えばビーコン信号、ユーザデータ信号、メッセージ等の信号の受信および送信に関する処理、状態情報記憶装置の管理、検索、処理、走査、送信制御、優先度決定、伝搬損決定、機器識別、ユーザ識別、およびスペクト利用可能性決定を制御する。信号伝送／制御データ７１４は状態情報、例えば、端末の動作に関連するパラメータ、状態および／または他の情報を含む。特に、信号伝送／制御データ７１４は端末の種々の構成情報７１６、例えば端末の形式、優先度レベル、送信電力、送信機の送信可能最大電力等の構成情報を含む。モジュール７１２はデータ７１４にアクセスおよび／修正、例えば構成情報７１６の更新をするかもしれないし、時にはする。モジュール７１２は以下のモジュールを含む。スペクトル帯域を、その帯域内のシステムビーコン信号を探索するために走査するためのモジュール７１１、ユーザビーコン信号を送信するためのモジュール７１３、異なるユーザビーコン信号の優先度レベルを比較するためのモジュール７１５、伝搬損を決定するためのモジュール７１７。
【００５１】
図８Ａと図８Ｂの組合せを含む図８は、種々の実施例に従って無線通信機器、例えば移動ノードなどの無線端末を動作させる代表的方法のフローチャート８００の図である。無線通信機器は例えば電池を使って動作されるかもしれない携帯用無線通信機器である。無線通信機器は例えば図９の無線端末９００である。
【００５２】
動作はステップ８０２で始まる。ここで無線通信機器は電源を投入され初期化され、ステップ８０４へ進む。ステップ８０４において、無線通信機器は第１の期間中に第１の通信帯域内の少なくとも１つのビーコンシンボルを含むビーコン信号の少なくとも一部分を検出するために監視をする。
【００５３】
動作はステップ８０４からステップ８０６へ進む。ステップ８０６において、無線通信機器は前記監視の結果に基づいて、第１の信号を送信するか否かに関する判定をする。前記第１の信号はビーコンシンボルおよびユーザデータの少なくとも１つを含む。いくつかの実施例において、第１の信号はビーコン信号である。いくつかの実施例において、前記ユーザデータはテキストデータ、オーディオデータ、画像データ、ゲームデータ、およびスプレッドシートデータの少なくとも１つを含む。
【００５４】
ステップ８０６はサブステップ８０８、８１０、８１２、８１４、および８１６を含む。サブステップ８０８において、無線通信機器は少なくとも１つのビーコンシンボルを含むビーコン信号部分がステップ８０４の監視において検出されたかどうかを決定する。ビーコンシンボル部分が検出された場合、動作はサブステップ８０８からサブステップ８１０および８１２のいずれか１つに進む。ビーコンシンボルが検出されなかった場合、動作はステップ８０８からステップ８１４へ進む。ここで、無線通信機器は前記第１の期間に後続する第２の期間中に信号を送信しないことを決定する。
【００５５】
サブステップ８１０において、無線通信機器は前記検出されたビーコン信号部分に応答して信号を送信することを決定する。代替的に、サブステップ８１２において、無線通信機器は検出されたビーコン信号部分によって伝達された情報を復号する。動作はサブステップ８１２からサブステップ８１６へ進む。サブステップ８１６において、無線通信機器は前記復号された情報に含まれる情報に基づいて前記第１の信号を送信するか否かを判定する。種々の実施例において、サブステップ８１６は１つ以上のサブステップ８１８および８２０を含む。サブステップ８１８において、無線通信機器は前記復号された情報に含まれる形式情報の関数として決定を行う。種々の実施例において、形式情報は第２の帯域がピアツーピア通信に用いることが許されているか否か示す。いくつかの実施例において、形式情報はピアツーピア通信に用いることが許される第２の帯域を特定する。サブステップ８２０において、無線通信機器は前記復号された情報に含まれる機器識別情報の関数として決定を行う。そのようないくつかの実施例において、機器識別情報は無線通信機器および現在その無線通信機器を用いているユーザの少なくとも１つを特定する。
【００５６】
動作はステップ８０６から接続点Ａ８２２を通じてステップ８２４へ進む。ステップ８２４において、無線通信機器はステップ８０６の判定が送信することである否かに依存して異なる進み方をする。その判定が送信することである場合、動作はステップ８２４からステップ８２６へ進む。その判定が送信しないことである場合、動作はステップ８２４から接続点Ｂ８２８を通じてステップ８０４へ進む。ここで付加的な監視が実行される。
【００５７】
ステップ８２６において、無線通信機器は第２の期間中に前記第１の信号の少なくとも一部分を送信する。いくつかの実施例において、第１の信号は第１の通信帯域と同じ第２の通信帯域で送信される。例えば、受信されたビーコン信号部分および第１の信号、例えば送信されたビーコン信号部分はピアツーピア通信ネットワークのピアノードに対応するかもしれない。また、ピアノードの双方はユーザビーコン信号伝送用に同じ周波数帯を用いているかもしれない。いくつかの他の実施例において、第１の信号は第１の通信帯域と異なる第２の帯域で伝達される。例えば、受信されたビーコン信号部分は基地局または固定ビーコン送信機から、通信機器がそのユーザビーコン信号を送信する帯域とは異なる通信帯域を用いて伝達されるかもしれない。そのようないくつかの実施例において、第１および第２の通信帯域は周波数領域で分離され、独立である。種々の実施例において、第１および第２の通信帯域は異なるサイズの周波数帯域である。
【００５８】
いくつかの実施例において、ステップ８２６は無線通信機器が少なくとも１つのビーコンシンボルを送信するサブステップ８３０を含む。例えば、その少なくとも１つのビーコンシンボルはビーコンバースト内の単一ビーコンシンボルまたは小数のビーコンシンボルであり、例えば、ビーコンシンボルはビーコンバーストのビーコンシンボル送信ユニットの１０％未満を占める。
【００５９】
動作はステップ８２６からステップ８３２および８３４の１つへ進む。ステップ８３２において、無線通信機器はユーザデータを、例えば前記第２の期間に後続する前記第３の期間中に第３の通信帯域で伝送する。例えば、第２の期間中に無線通信機器は、例えばその存在を識別するための少なくとも１つのビーコンシンボルを含む第１の信号の少なくとも一部分を送信する。また第３の期間中に、無線通信機器はユーザデータをピアへ送信する。種々の実施例において、第３の周波数帯域は第２の周波数帯と同じである。例えば、無線通信機器はピアツーピア通信のためのユーザビーコン信号とユーザデータ双方を同じ周波数帯域内で伝送するかもしれない。いくつかの他の実施例において、第２の周波数帯域は第３の周波数帯と異なる。例えば、ユーザビーコン信号用およびユーザデータ信号用に相異なる周波数帯域があるかもしれない。
【００６０】
動作はステップ８３２からステップ８３４に進む。ステップ８３４において、無線通信機器は第４の期間中に別の無線通信機器からの、例えばピアツーピア通信ネットワークの１つのピアからの付加的なビーコン信号の少なくとも一部分を検出するために監視をする。ステップ８３４は、いくつかの実施例において、サブステップ８３６を含む。サブステップ８３６において、無線通信機器は付加的ビーコン信号の少なくとも一部に対して前記第１の周波数帯域と異なる第２の周波数帯域を監視する。
【００６１】
図９は種々の実施例に従って実施される代表的無線端末９００、例えば移動ノードの図である。代表的無線端末９００は図１のシステム１００の代表的無線端末（１０２、１０４）のいずれかであるかもしれない。
【００６２】
代表的無線端末９００は受信機モジュール９０２、送信機モジュール９０４、プロセッサ９０６、ユーザＩ／Ｏ機器９０８、およびメモリー９１０を含む。これらは種々の部品がデータおよび情報を交換するために用いられるかもしれないバス９１２を介して互いに接続されている。メモリー９１０はルーチン９１４およびデータ／情報９１６を含む。プロセッサ９０６、例えばＣＰＵはルーチン９１４を実行し、メモリー９１０内のデータ／情報９１６を用いて無線端末９００の動作を制御しかつ手順を実施する。
【００６３】
受信機モジュール９０２、例えばＯＦＤＭ受信機は無線端末が他の無線通信機器からの信号を受信する受信アンテナ９０３に接続される。他の無線通信機器は、例えば他の無線端末並びに／または既知局および／もしくは固定位置ビーコン送信機のようなシステム端末である。受信信号は、例えば無線端末からのビーコン信号、システムノードからのビーコン信号、並びに例えばピアツーピア通信における無線端末からのハンドシェイク信号およびユーザデータ信号を含む。
【００６４】
送信機モジュール９０４、例えば、ＯＦＤＭ送信機は無線端末９００が他の無線通信機器、例えばピアノードへ信号を送信する送信アンテナ９０５に接続される。いくつかの実施例において、同じアンテナが受信機モジュール９０２および送信機モジュール９０４に対して用いられ、例えば受信機モジュールおよび送信機モジュール（９０２、９０４）がデュープレクサモジュールを介してアンテナに接続される。送信機モジュール９０４によって送信される信号は、例えばビーコン信号または少なくとも１つのビーコンシンボルを含むビーコン信号部分のような第１の信号を含む。送信機モジュール９０４によって送信される他の信号はピアツーピア通信セッション確立信号およびユーザデータ信号を含む。
【００６５】
ユーザＩ／Ｏ機器９０８は、例えばマイクロホン、キーパッド、キーボード、スイッチ、カメラ、スピーカ、ディスプレイなどを含む。ユーザＩ／Ｏ機器９０８は無線端末９００のユーザがデータ／情報を入力し、出力データ／情報にアクセスし、および無線端末９００の少なくともいくつかの機能を制御することを可能にする。
【００６６】
ルーチン９１４は通信ルーチン９１８および無線端末制御ルーチン９２０を含む。通信ルーチン９１８は無線端末によって用いられる種々の通信プロトコルを実施する。無線端末制御ルーチン９２０はビーコン検出モジュール９２２、ビーコンベースの判定モジュール９２４、ビーコン信号復号モジュール９２６、ビーコン信号生成モジュール９２８、制御モジュール９３０および無線端末ビーコン検出モジュール９３２を含む。
【００６７】
ビーコン検出モジュール９２２は第１の通信帯域内で伝達された１つ以上のビーコンシンボルの受信を検出する。ビーコンベースの判定モジュール９２４はビーコン検出モジュール９２２の出力に基づいて第１の信号を送信するか否かを決定する。前記出力はビーコンシンボルが１期間中に検出されたか否かの関数であり、前記第１の信号はビーコンシンボルおよびユーザデータの少なくとも１つを含む。ビーコン信号復号モジュール９２６は検出されたビーコン信号部分によって伝達された情報を復号する。少なくとも１つの検出されたビーコンシンボルは前記検出されたビーコン信号部分の一部である。いくつかの実施例において、ビーコンベースの判定モジュール９２４はビーコン信号復号モジュールによって実行される復号によって生成された復号情報に基づいて第１の信号を送信するか否かを判定する。いくつかの実施例において、ビーコンベースの判定モジュール９２４はビーコンシンボルを含むビーコン信号の少なくとも一部が前記ビーコン検出モジュールにより第１の期間中に検出されない場合、第１の期間に後続する第２の期間中に信号を送信しないと決定する。いくつかの実施例において、ビーコンベースの判定モジュール９２４は復号された情報に含まれる形式情報に基づいて信号を送信するか否かを判定する。前記形式情報は第２の帯域がピアツーピア通信に用いることを許可されていることを表示するものである。いくつかの実施例において、ビーコンベースの判定モジュール９２４は復号された情報に含まれる機器情報に基づいて信号を送信するか否かを判定する。
【００６８】
ビーコン信号生成モジュール９２８はビーコン信号を生成する。前記生成されたビーコン信号は、ｉ）前記無線通信機器とｉｉ）現在前記無線通信機器を用いているユーザ、の少なくとも１つを識別するために用いられる識別子を伝達する。制御モジュール９３０は受信機および送信機が動作する帯域を制御する。制御モジュール９３０はユーザデータ送信制御モジュール９３１を含む。いくつかの実施例において、前記受信機および送信機は時分割多重ベースで同一帯域を使用するように制御される。いくつかの実施例において、受信機は第１の通信帯域を用いるように制御され、送信機は第１の通信帯域は異なる帯域の第２の通信帯域を用いるように制御される。いくつかの実施例において、第１および第２の通信帯域は周波数領域で分離され、独立であるが、予め定められた関係を有している。そのようないくつかの実施例において、第１および第２の通信帯域は異なるサイズの周波数帯域である。
【００６９】
ユーザデータ送信管理モジュール９３１は第３の期間中に第３の通信帯域でのユーザデータの送信を制御する。いくつかの実施例において、第３の期間は第２の期間に後続し、前記第２の期間はその期間に前記第１の信号の少なくとも一部分が送信される期間であり、前記第１の信号は少なくとも１つのビーコンシンボルを含む。いくつかの実施例において、第３の通信帯域は第２の通信帯域と同じである。いくつかの実施例において、第３の通信帯域は第２の通信帯域と異なる。
【００７０】
無線端末ビーコン検出モジュール９３２は第４の期間中に他の無線通信機器からのビーコンシンボルを検出する。前記第４の期間の少なくとも一部分は前記ビーコン検出モジュール９２２が動作している間の期間とは異なる。他の無線通信機器は例えばピアツーピア通信ネットワーク内のピアノードである。いくつかの実施例において、無線端末ビーコン検出モジュール９３２は前記第１の通信帯域とは異なる周波数帯域である第２の通信帯域を監視する。
【００７１】
データ／情報９１６は検出されたビーコン信号情報９３４、復号されたビーコン信号部分から復元された情報（第１のビーコン信号に対応する復号されたビーコン信号部分から復元された情報９３６、…、第Ｎのビーコン信号に対応する復号されたビーコン信号部分から復元された情報９３８）、送信判定情報９４０、機器識別情報９５０、ユーザ識別情報９５２、第１の信号情報９５４、現在の期間情報９６０、受信機の周波数帯域選択情報９６２，送信機の周波数帯域選択情報９６４、ピアツーピアネットワークの通信セッション情報９６６、およびシステムデータ／情報９６８を含む。
【００７２】
第１のビーコン信号に対応する復号されたビーコン信号部分から復元された情報９３６は、いくつかの実施例において、１つ以上の形式情報９４２および識別情報９４４を含む。形式情報９４２は、例えば周波数帯域形式指定情報である。形式情報９４２はその帯域形式がピアツーピア通信に用いられるように指定されていることを示すかもしれないし、時には示す。識別情報９４４は、例えば機器識別情報および／またはユーザ識別情報である。
【００７３】
第Ｎのビーコン信号に対応する復号されたビーコン信号部分から復元された情報９３８は、いくつかの実施例において、１つ以上の形式情報９４６および識別情報９４８を含む。形式情報９４６は、例えば周波数帯域形式指定情報である。識別情報９４８は、例えば機器識別情報および／またはユーザ識別情報である。
【００７４】
第１の信号情報９５６は、いくつかの実施例において、１つ以上のビーコンシンボル情報９５６およびユーザデータ９５８を含む。ビーコンシンボル情報９５６は、例えば以下の情報を含む。例えば第１の信号に含まれるビーコン信号のビーコンバースト内の、ビーコンシンボルを伝送するために用いられるビーコン送信ユニットを識別する情報、トーンホッピングパターン情報、および／またはビーコンシンボルに対応する時間情報。ユーザデータ９５８は、例えば第１の信号のデータシンボルに対応する第１の信号の音声データ、他の形式のオーディオデータ、イメージデータ、テキストデータ、ファイルデータ等のようなデータ情報を含む。
【００７５】
システムデータ／情報９６８はタイミング／周波数構造情報９７０、ビーコン復号情報９７６、判定基準情報９７８およびビーコン符号化情報９８０を含む。タイミング／周波数構造情報９７０は周波数帯域情報９７２および期間情報９７４を含む。周波数帯域情報９７２は断続的に無線端末によって用いられる複数の異なる周波数帯を識別する情報を含む。周波数帯域情報９７２はビーコン信号を周波数帯に関係づける情報も含む。いくつかの実施例において、異なる帯域は異なる目的に用いられる。例えば、１つの周波数帯域は、いくつかの実施例において、ビーコン信号伝送に用いられ、別の周波数帯域はユーザデータ信号伝送に用いられる。いくつかの実施例において、少なくともいくつかの周波数帯は複数の目的、例えばユーザデータビーコン信号伝送および無線端末ビーコン信号送信に用いられる。いくつかの実施例において、異なる時間に異なる目的のために同じ帯域が使用される。例えばいくつかの実施例において基地局を介する無線通信のために通常使用される周波数帯域が断続的にピアツーピア通信に用いられる。期間情報９７４は、例えば無線端末がいつビーコン信号を受信し、ビーコン信号を送信し、およびユーザデータ信号をピアノードに伝達すべきであるかをタイミング構造内で特定する情報を含む。
【００７６】
ビーコン復号情報９７６、例えば種々の検出される可能性のあるビーコン信号を復元された情報、例えば周波数帯域形式指定情報、機器ＩＤ情報、ユーザＩＤ情報および／または優先度レベル情報、へマッピングする情報は情報（９３６、・・・、９３８）を復元するために、例えばビーコンシンボル情報９３４の処理時に、ビーコン信号復号モジュール９２６によって用いられる。
【００７７】
図１０は種々の実施例に従って無線通信機器を動作させる代表的方法のフローチャート１０００の図面である。無線通信機器は、例えば電池電力を用いて動作されるかもしれない移動ノードのような携帯無線端末である。無線通信機器は図１１の無線端末１１００である。動作はステップ１００２で始まる。ここで、無線通信機器は電源を投入され、初期化される。動作は開始ステップ１００２からステップ１００４へ進む。ステップ１００４において、無線通信機器は第１の通信帯域内の少なくとも１つのビーコンシンボルを含むビーコン信号の少なくとも一部分を検出するために、第１の期間中、監視をする。いくつかの実施例において、ビーコン信号部分は識別用の値を伝達する。例えば、識別用の値は機器識別子およびユーザ識別子の１つであっても良い。
【００７８】
次に、ステップ１００６において、動作は少なくとも１つのビーコンシンボルを含むビーコン信号の少なくとも一部分がステップ１００４において検出されたか否かに従って異なる進み方をする。ビーコン信号部分が検出された場合、動作はステップ１００６からステップ１００４へ進み、別の第１の期間中、監視をする。しかし、ビーコン信号部分が検出されなかった場合、動作はステップ１００６からステップ１００８へ進む。
【００７９】
ステップ１００８において、第１の期間に後続する第２の期間中に、通信機器は第１の信号、例えば少なくとも１つのビーコンシンボルを含む第２のビーコン信号の少なくとも一部分を送信する。いくつかの実施例において、前記第１の信号は第１の通信帯域内で送信される。いくつかの実施例において、前記第２の期間は前記第１の期間との固定的時間関係を有する。種々の実施例において、第２の期間は第１の期間の開始から予め定められた時間のオフセットを有する。
【００８０】
次に、ステップ１０１０において、無線通信機器はユーザデータを送信する。いくつかの実施例において、非オーバラップ期間中にユーザデータ送信に先立って第１の信号が送信される。種々の実施例において、ユーザデータは第１の通信帯域でも送信される。動作はステップ１０１０からステップ１０１２へ進む。ステップ１０１２において、無線通信機器は前記無線通信機器がピアツーピアベースで交信しているもう一方の機器からの前記ユーザデータ伝送への応答に対する監視をする。
【００８１】
図１１は代表的無線端末１１００、例えば種々の実施例に従って実施された移動ノードの図面である。代表的無線端末１１００は図１のシステム１００の代表的無線端末（１０２、１０４）のいずれかであるかもしれない。
【００８２】
代表的無線端末１１００は受信機モジュール１１０２、送信機モジュール１１０４、プロセッサ１１０６、ユーザＩ／Ｏ機器１１０８、およびメモリー１１１０を含む。これらはバス１１１２を介して互いに接続され、バスを通じて種々の部品がデータおよび情報を交換するかもしれない。メモリー１１１０はルーチン１１１４およびデータ／情報１１１６を含む。プロセッサ１１０６、例えばＣＰＵはルーチン１１１４を実行し、無線端末１１００の動作を制御するためにメモリー１１１０内のデータ／情報１１１６を用いて、手順を実施する。
【００８３】
受信機モジュール１１０２、例えばＯＦＤＭ受信機は無線端末１１００が他の無線通信機器からの信号を受信する受信アンテナ１１０３に接続される。受信機モジュール１１０２は、例えば第１の通信帯域で送信されたビーコン信号部分を受信する。受信機モジュール１１０２はピアからピアツーピア通信セッションの一部としてセッション確立信号およびユーザデータ信号を受信する。
【００８４】
送信機モジュール１１０４、例えばＯＦＤＭ送信機は無線端末１１００が他の無線通信機器、例えばピアノードへ信号を送信する送信アンテナ１１０５に接続される。いくつかの実施例において、同じアンテナが受信機モジュール１１０２および送信機モジュール１１０４に対して例えばデュプレクスモジュールと共に用いられる。送信される信号はピアツーピア通信セッションの一部として、ビーコン信号、通信セッション確立信号およびユーザデータ信号を含む。
【００８５】
ユーザＩ／Ｏ機器１１０８は、例えばマイクロホン、キーパッド、キーボード、スイッチ、カメラ、スピーカ、ディスプレイなどを含む。ユーザＩ／Ｏ機器１１０８により、無線端末１１００のユーザはデータ／情報の入力、出力データ／情報へのアクセス、および無線端末１１００の少なくともいくつかの機能の制御、例えばピアツーピア通信セッションを確立する試み、が可能となる。
【００８６】
ルーチン１１１４は通信ルーチン１１１８および無線端末制御ルーチン１１２０を含む。通信ルーチン１１１８は無線端末１１００によって用いられる種々の通信プロトコルを実施する。無線端末制御ルーチン１１２０はビーコン検出モジュール１１２２、伝送制御モジュール１１２４、第１の信号、例えばビーコン信号部分、生成モジュール１１２６、ビーコンシンボル生成モジュール１１２７、ビーコン情報検出モジュール１１２８、周波数帯域制御モジュール１１３０、ユーザデータ送信制御モジュール１１３２、および応答検出モジュール１１３４を含む。
【００８７】
ビーコン検出モジュール１１２２は第１の通信帯域で伝達されたビーコンシンボルの受信を検出する。送信制御モジュール１１２４はビーコン検出モジュール１１２２の出力の関数として信号送信を制御する。送信制御モジュール１１２４は、少なくとも１つのビーコンシンボルを含むビーコン信号部分が第１の期間中に検出されない場合、送信機モジュール１１０４が第１の信号を前記第１の期間に後続する第２の期間中に送信するように制御する。いくつかの実施例において、第２の期間は第１の期間との固定的時間関係、例えば第１の期間の開始から予め定められた時間のオフセットを有する。
【００８８】
第１の信号生成モジュール１１２６は第１の信号を生成する。例えば、代表的第１の信号は少なくとも１つのビーコンシンボルを含むビーコン信号バーストのようなビーコン信号部分である。ビーコンシンボル生成モジュール１１２７はビーコンシンボル、例えば生成されたシンボル部分に含まれるビーコンシンボルを生成する。例えば、ビーコンシンボルは検出を容易にするという無線端末の送信的観点からデータシンボルに比べて比較的高い電力のシンボルである。例えば、ビーコンシンボルとデータシンボル間の平均送信電力の違いは、いくつかの実施例において、少なくとも１０ｄＢである。いくつかの実施例において、生成されたビーコンシンボルの各々は同じ送信電力レベルを有する。いくつかの実施例において、各生成されたビーコンシンボルは同位相である。一方、生成されたデータシンボルは、例えばＱＰＳＫ、ＱＡＭ１６、ＱＡＭ２５６などのコンステレーションの一部のように異なる位相を有するかもしれないし、一般的には有する。
【００８９】
ビーコン情報検出モジュール１１２８はビーコン信号の検出された部分によって伝達された識別用の値を決定する。識別用の値は、例えば機器識別子およびユーザ識別子の１つである。
【００９０】
周波数帯制御モジュール１１３０は受信機モジュール１１０２および送信機モジュール１１０４が動作する帯域を制御する。いくつかの実施例において、受信機モジュール１１０２および送信機モジュール１１０４は、例えばピアツーピア通信セッションに関して、時間分割多重ベースで同一帯域を用いるように制御される。
【００９１】
ユーザデータ送信制御モジュール１１３２は前記第１の通信帯域における前記第１の信号に加えてユーザデータの送信を制御する。いくつかの実施例において、第１の信号は前記ユーザデータに先立って送信され、ユーザデータ送信制御モジュール１１３２は前記ユーザデータの送信が前記第１の信号の送信とオーバラップしない送信期間に発生するように制御する。種々の実施例において、ユーザデータ送信制御モジュール１１３２はユーザデータが第１の帯域内、例えば無線端末がそのビーコン信号を送信している同じ帯域で送信されるように、ユーザデータの送信を制御する。
【００９２】
応答検出モジュール１１３４は前記無線端末機器がピアツーピアベースで交信しているもう一方の機器からのユーザデータ送信に対する応答を検出する。応答は、例えばピアノードからのユーザデータおよび／または制御情報である。制御情報は、例えばハンドシェイク情報、セッション確立情報、セッション終了情報、セッション保守情報、電力制御情報、タイミング制御情報、周波数帯域情報などである。
【００９３】
データ／情報１１１６は受信機周波数帯域選択情報１１３６、現在時間情報１１３８、送信機周波数帯域選択情報１１４０、ビーコン検出／検出失敗フラグ１１４２、検出されたビーコン信号情報１１４４、検出されたビーコン信号部分識別情報１１４６、機器識別情報１１４８、ユーザ識別情報１１５０、生成された第１の信号情報、例えば生成されたビーコン信号情報１１５４、送信されるべきユーザデータ１１５４、ピアからの検出された応答情報１１５６、およびシステム／データ情報１１５８を含む。
【００９４】
受信機周波数帯域選択１１３６および送信機周波数帯域選択１１４０は周波数帯域選択モジュール１１３０の出力であり、受信機モジュール１１０２および送信機モジュール１１０４の同調を制御する際に無線端末によって用いられる。ビーコン検出モジュール１１２２からのビーコン検出／検出失敗フラグ１１４２、例えば１ビットの出力は、システムビーコン信号伝送ルールに従ってビーコン送信判定を行う際に送信制御モジュールによって用いられる。
【００９５】
検出されたビーコン信号情報１１４４はビーコン信号検出モジュール１１２２によって復元された情報を含む。この復元された情報は検出されたビーコン信号、例えばビーコン信号を伝送する一組の識別されたビーコン送信ユニット、ビーコンシンボルのパターン、検出されたビーコンシンボルに関連する傾斜等に相応する。検出されたビーコン信号部分識別情報１１４６はビーコン情報検出モジュール１１２８の出力であり、検出されたビーコン信号の送信源を特定する例えば機器識別子またはユーザ識別子である。
【００９６】
生成された第１の信号情報、例えば生成されたビーコン信号情報１１５２は第１の信号生成モジュール１１２６で生成された第１の信号に相応し、また、例えば以下の情報、例えばビーコンシンボルトーン識別情報、ヌルトーン識別情報、ビーコンバースト継続期間情報、ビーコンバーストタイミング情報を含むビーコン信号バーストを定義する情報を含む。
【００９７】
送信されるべきユーザデータ１１５４は、例えばユーザデータ送信制御モジュール１１３２の制御の下で、例えば実施されるタイミング構造内の適切な時、例えばユーザデータ区間にピアに対して伝達されることを意図されている、音声、他のオーディオデータ、画像データ、テキストおよび／またはファイルデータを含む。ピアからの検出された応答情報１１５６は応答検出モジュール１１３４の出力である。
【００９８】
システムデータ／情報１１５８はタイミング／周波数構造情報１１６０、ビーコン符号化情報１１６８およびビーコン復号情報１１７０を含む。タイミング／周波数構造情報１１６０は周波数帯域情報１１６２、期間情報１１６４、および期間関係情報１１６６を含む。
【００９９】
図１２は種々の実施例に従って無線通信機器を動作させる代表的方法のフローチャート１２００の図である。無線通信機器は、例えば電池の電力で動作するかもしれない移動ノードのような携帯用無線端末である。無線通信機器は、例えば図１３の無線端末１３００である。動作はステップ１２０２で始まる。ここで無線通信機器は電源を投入され、初期化され、ステップ１２０４へ進む。ステップ１２０４において、無線通信機器は別の通信機器からの少なくとも１つのビーコンシンボルを含むビーコン信号の少なくとも一部分を受信する。動作はステップ１２０４からステップ１２０６へ進む。ステップ１２０６において、無線通信機器は前記受信ビーコン信号部分によって伝達された優先度情報に基づいて信号送信判定を行う。優先度情報は、例えば機器の優先度、ユーザの優先度およびセッションの優先度の１つを示す。
【０１００】
優先度情報は前記ビーコン信号部分に含まれる複数のビーコンシンボルを用いて符号化されるかもしれないし、時にはされる。いくつかのそのような実施例において、優先度情報は前記ビーコン信号部分を伝達するために用いられる１組のビーコンシンボル送信ユニット内のビーコンシンボルの位置によって少なくとも部分的に符号化される。いくつかの実施例において、優先度情報は、前記ビーコン信号部分を複数のビーコンシンボル送信期間を含む一期間にわたって送信するために用いられる１組のビーコンシンボル送信ユニット内のビーコンシンボルの位置の変化に基づいて少なくとも部分的に符号化される。そのようないくつかの実施例において、１組のビーコンシンボル送信ユニット内のビーコンシンボル送信ユニットは伝達されるべき優先度レベルに相応する予め定められたトーンホッピングパターンに対応する。種々の実施例において、優先度情報を伝達するために用いられる他のすべてのビーコンより高い優先度を示す最優先度ビーコンを一意的なビーコンシンボルパターンを用いて伝達する。
【０１０１】
いくつかの実施例において、送信決定を行うことは、前記優先度情報が前記無線通信機器に関連づけられた優先度より高い優先度を示す場合、ユーザデータを送信しない決定することを含む。いくつかの実施例において、送信決定を行うことは、前記優先度情報が前記無線通信機器に関連づけられた優先度より低い優先度を示すとき、ユーザデータを送信すると決定することを含む。
【０１０２】
送信決定をすることは、受信された優先度レベルおよび受信されたビーコン信号部分の受信された電力レベルの関数として決定される送信電力レベルで、ユーザデータを送信すると決定することを含むかもしれないし、時には含む。いくつかの実施例において、受信されたビーコン信号部分が送信電力を制御するために用いられる以前に受信されたビーコン信号部分によって示された優先度レベルより高い優先度レベルを示す場合、無線通信機器の送信電力レベルは低くされる。いくつかの実施例において、受信されたビーコン信号部分が送信電力を制御するために用いられる以前に受信されたビーコン信号部分によって示された優先度レベルより低い優先度レベルを示す場合、無線通信機器の送信電力レベルは低くされる。
【０１０３】
次に、ステップ１２０８において、動作はステップ１２０６の信号送信判定に従って異なる進み方をする。信号送信判定がユーザデータが送信されるべきであることを示す場合、動作はステップ１２０８からステップ１２１０へ進む。信号送信判定がユーザデータが送信されるべきでないことを示す場合、動作はステップ１２０８からステップ１２０４へ進む。ここで無線通信機器は少なくとも１つのビーコンシンボルを含むビーコン信号の別の少なくとも一部分を受信するように動作させられる。
【０１０４】
ステップ１２１０において、無線通信機器は少なくともビーコンシンボルの一部分、例えば１つのビーコン信号バーストまたは複数のビーコン信号バーストを送信するように動作させられる。種々の実施例において、ビーコン信号の送信された部分は少なくとも１つの前記無線通信機器およびユーザデータを送信するために前記無線通信機器を用いているユーザを識別する。いくつかの実施例において、送信されたビーコン信号部分は前記無線通信機器に対応する優先度情報を伝達する。動作はステップ１２１０からステップ１２１２へ進む。ステップ１２１２において、無線通信装置はユーザデータを送信する。動作はステップ１２１２からステップ１２１４へ進む。
【０１０５】
ステップ１２１４において、無線通信機器は少なくとも１つのビーコンシンボルを含む付加的信号部分に対する監視をする。例えば前記付加的信号はその無線通信機器に関連づけられた優先度より高い優先度を伝達するビーコンシンボルの部分である。動作はステップ１２１４からステップ１２１６へ進む。ステップ１２１６において、無線通信機器は前記付加的部分が予め定められた期間中に、受信されたかどうかを決定する。
【０１０６】
前記付加的部分が受信されなかったと決定される場合、動作はステップ１２１６からステップ１２１８へ進む。ここで、無線通信機器は信号を送信する。動作は別の予め定められた期間の付加的監視のためにステップ１２１８からステップ１２１４へ進む。
【０１０７】
ステップ１２１６に戻り、前記付加的部分が受信されなかったと決定される場合、動作はステップ１２１６からステップ１２０４へ進む。ここで、無線通信機器は少なくとも１つのビーコンシンボルを含むビーコン信号の別の少なくとも一部分を受信するように動作させられる。
【０１０８】
図１３は代表的無線端末１３００、例えば種々の実施例に従って実施される移動ノードの図である。代表的無線端末１３００は図１のシステム１００の代表的無線端末（１０２、１０４）のいずれかであるかもしれない。
【０１０９】
代表的無線端末１３００は受信機モジュール１３０２、送信機モジュール１３０４、プロセッサ１３０６、ユーザＩ／Ｏ機器１３０８、およびメモリー１３１０を含む。これらはバス１３１２を介して互いに接続され、バスを通じて種々の部品がデータおよび情報を交換するかもしれない。メモリー１３１０はルーチン１３１４およびデータ／情報１３１６を含む。プロセッサ１３０６，例えばＣＰＵはルーチン１３１４を実行し、無線端末１３００の動作を制御するためにメモリー１３１０内のデータ／情報１３１６を用いて、手順を実施する。
【０１１０】
受信機モジュール１３０２，例えばＯＦＤＭ受信機は無線端末が他の無線通信機器からの信号を受信する受信アンテナ１３０３に接続される。受信機モジュール１３０２は少なくとも１つのビーコンシンボルを含むビーコン信号の少なくとも一部分を含む他の通信機器からの信号を受信する。受信信号はピアノードからのビーコン信号およびユーザデータ信号を含む。
【０１１１】
送信機モジュール１３０４，例えばＯＦＤＭ送信機は無線端末が他の無線通信機器、例えばピアノードへ信号を送信する送信アンテナ１３０５に接続される。いくつかの実施例において、同じアンテナが受信機モジュール１３０２および送信機モジュール１３０４に対して例えばデュプレクスモジュールと共に用いられる。送信機モジュール１３０４は信号送信判定モジュール１３２２の判定に従って、ビーコン信号部分およびユーザデータを含む信号を送信する。種々の実施例において、少なくとも１つのビーコンシンボルを含むビーコン信号の送信された部分は、ｉ）無線通信機器１３００およびｉｉ）ユーザデータを送信するために無線端末１３００を用いているユーザ、の少なくとも１つを特定する。
【０１１２】
ユーザＩ／Ｏ機器１３０８は、例えばマイクロホン、キーパッド、キーボード、スイッチ、カメラ、スピーカ、ディスプレイなどを含む。ユーザＩ／Ｏ機器１３０８により、無線端末１３００のユーザはデータ／情報の入力、出力データ／情報へのアクセス、および無線端末１３００の少なくともいくつかの機能の制御、例えばピアツーピア通信セッションを確立する試み、が可能となる。
【０１１３】
ルーチン１３１４は通信ルーチン１３１８および無線端末制御ルーチン１３２０を含む。通信ルーチン１３１８は無線端末１３００によって用いられる種々の通信プロトコルを実施する。無線端末制御ルーチン１３２０は送信判定モジュール１３２２、ビーコン信号生成モジュール１３２４、監視モジュール１３２６、制御モジュール１３２８、送信電力制御モジュール１３３０、およびビーコン信号情報検出モジュール１３３２を含む。
【０１１４】
送信判定モジュール１３２２は受信されたビーコン信号部分によって伝達された優先度情報に基づいて信号送信判定を行う。優先度情報は例えば機器優先度、ユーザ優先度およびセッション優先度の１つを示す。送信判定モジュール１３２２は優先度ベースの制御モジュール１３３４を含む。優先度ベースの制御モジュール１３３４は、受信された優先度情報が前記無線端末１３００に関連づけられた優先度より高い優先度を示す場合、ユーザデータの送信を防ぐ。種々の実施例において、優先度ベースの制御モジュール１３３４は、受信された優先度情報が無線端末１３００に関連づけられた優先度より低い優先度を示す場合、ユーザデータ送信を実行可能とする。
【０１１５】
ビーコン信号生成モジュール１３２４はビーコン信号部分を生成する。生成されたビーコン信号部分は少なくとも１つのビーコンシンボルを含む。いくつかのビーコン信号部分はビーコンバースト信号に参照される。
【０１１６】
制御モジュール１３２８は、信号送信判定を行う送信判定モジュール１３２２に従って少なくとも１つのビーコンシンボルを含む付加的ビーコン信号部分に対する監視をするように監視モジュール１３２６を制御する。いくつかの実施例において、無線端末１３００に関連づけられる前記優先度よりも高い優先度を伝達する付加的ビーコン信号部分が予め定められた期間内に受信されない場合、送信判定モジュール１３２２は信号を送信するという判定を行う。
【０１１７】
送信電力制御モジュール１３３０はユーザデータ送信電力レベルを、受信された優先度レベルおよび受信ビーコン信号部分の受信された電力レベルの少なくとも１つの関数として制御する。送信電力制御モジュール１３３０は送信電力低減モジュール１３３６を含む。受信されたビーコン信号部分が、送信電力を制御するために用いられた以前に受信されたビーコン信号部分によって示される優先度レベルより高い優先度を示す場合、送信電力低減モジュール１３３６は送信電力レベルを低減する。
【０１１８】
ビーコン信号情報検出モジュール１３３２は受信されたビーコン信号部分に含まれる１組のビーコンシンボルから優先度情報を決定する。前記優先度情報は複数のビーコンシンボルにわたって符号化される。いくつかの実施例において、優先度情報はビーコン信号部分を送信するために用いられる１組のビーコンシンボル送信ユニットのビーコンシンボルの位置によって少なくとも部分的に符号化される。種々の実施例において、優先度情報はビーコン信号部分を送信するために用いられる１組のビーコンシンボル送信ユニットのビーコンシンボルの位置の変化に基づいて少なくとも部分的に符号化される。いくつかの実施例において、優先度情報は、複数のビーコンシンボル送信期間を含む一期間にわたって前記ビーコン信号部分を送信するために用いられる１組のビーコンシンボル送信ユニット内の、ビーコンシンボルの位置の変化に基づいて少なくとも部分的に符号化される。種々の実施例において、１組のビーコンシンボル送信ユニット内のビーコンシンボルの位置は伝達されるべき優先度レベルに対応する予め定められたトーンホッピングパターンに相当する。いくつかの実施例において、一意的なビーコンシンボルパターンを用いて、優先度情報を伝達するために用いられる他のすべてのビーコンより高い優先度を示す最優先度を伝達する。
【０１１９】
データ／情報１３１６は、受信されたビーコン信号部分情報（受信されたビーコン信号部分１の情報１３３８、・・・、受信されたビーコン信号部分Ｎの情報１３４０）、送信判定情報１３４２、送信されるべきユーザデータ１３４４、無線端末に関連づけられた現在の優先度１３４６、ユーザデータ送信電力レベル情報１３４８、受信されたビーコン信号部分に関連づけられた優先度レベル情報（受信されたビーコン信号部分１に関連づけられた優先度１３５０、・・・、受信されたビーコン信号部分Ｎに関連づけられた優先度１３５２）、生成されたビーコン信号部分情報１３５４、およびビーコン信号復号情報１３５６を含む。
【０１２０】
受信されたビーコン信号部分１の情報１３３８はビーコンシンボル情報１３５８および優先度情報１３６０を含む。優先度情報１３６０は以下の少なくとも１つを含む：機器優先度情報１３６２、ユーザ優先度情報１３６４、およびセッション優先度情報１３６６。
【０１２１】
受信されたビーコン信号部分Ｎの情報１３４０はビーコンシンボル情報１３６８および優先度情報１３７０を含む。優先度情報１３７０は以下の少なくとも１つを含む。機器優先度情報１３７２，ユーザ優先度情報１３７４，およびセッション優先度情報１３７６。
【０１２２】
送信判定１３４２はＷＴ１３００が送信を許可されているか否かを示す送信判定モジュール１３２２の出力である。送信されるべきユーザデータ１３４４は、例えば、許可があればＷＴ１３００がピアツーピア通信セッションにおいてピアへ送信を意図する音声、他のオーディオデータ、画像データ、テキストデータ、ファイルデータ等である。
【０１２３】
無線端末に関連する現在の優先度１３４６は比較のために優先度ベースの制御モジュール１３３４によって用いられるＷＴ１３００に関連する現在の優先度レベルを示す。いくつかの実施例において、無線端末の現在の優先度は時間と共に、例えばセッション情報および／またはユーザ識別情報の関数として変化するかもしれないし、時には変化する。
【０１２４】
受信されたビーコン信号部分１に関連する優先度１３５０と受信されたビーコン部分Ｎに関連する優先度１３５２は受信されたビーコン信号部分（１３３８、…、１３４０）にそれぞれ対応しており、送信判定モジュール１３２２によって用いられる。
【０１２５】
生成されたビーコン信号部分情報１３５４、例えば一組のビーコンシンボルおよび一組の情報ヌルを含むビーコン信号バーストに相応する情報はビーコン信号生成モジュール１３２４の出力である。
【０１２６】
ユーザデータ送信電力レベル情報１３４８は電力レベル調整情報１３７８、例えばより高い優先度を検出されたビーコン信号に応じて実施されるべき電力低減量を示す情報、を含む。
【０１２７】
ビーコン信号復号情報１３５６はビーコンシンボル位置情報１３８０およびトーンホッピングパターン／優先度レベル情報１３８２を含む。ビーコン信号復号情報１３５６は、ビーコン信号、例えば機器優先度情報１３６２、ユーザ優先度情報１３６４およびセッション優先度情報１３６６によって伝送される優先度情報を得るために１つ以上の受信されたビーコン信号部分のビーコンシンボル情報、例えば情報１３５８を処理する際に、ビーコン信号情報検出モジュール１３３２によって用いられる。
【０１２８】
本方法および装置はＯＦＤＭ  ＴＤＤシステムの文脈で説明されているが、種々の実施例の方法および装置は多くの非ＯＦＤＭシステム、多くの非ＴＤＤシステム、および／または多くの非セルラシステムを含む広範囲の通信システムに適用できる。
【０１２９】
種々の実施例において、ここに説明したノードは、１つ以上の方法、例えばビーコン信号を生成すること、ビーコン信号を送信すること、ビーコン信号を受信すること、ビーコン信号に対する走査をすること、受信されたビーコン信号から情報を復元すること、タイミング調整を決定すること、タイミング調整を実施すること、動作モードを変更すること、通信セッションを開始すること、ユーザビーコン信号の優先度レベルを比較すること、伝搬損を決定すること、固定位置ビーコン送信機からの基準値を決定すること等、に対応するステップを実行するための１つ以上のモジュールを用いて実施される。いくつかの実施例において、種々の特徴はモジュールを用いて実施される。そのようなモジュールはソフトウェア、ハードウェアまたはソフトウェアとハードウェアの組合せを用いて実施されるかもしれない。上記の方法または方法のステップの多くは、メモリー機器、例えばＲＡＭ、フロッピー（登録商標）ディスクなどのような機械可読媒体に含まれるソフトウェアのような機械実行可能な命令を用いて、機械、例えば付加的ハードウェア付または無しの汎用計算機を上記方法の全部または部分を例えば１つ以上のノードにおいて実施するように制御することにより、実施されることができる。従って、特に、種々の実施例は、機械、例えばプロセッサおよび関連ハードウェア、に１つ以上の上記（複数の）方法のステップを実行させるための機械実行可能な命令を含む機械可読媒体を対象とする。
【０１３０】
上で説明した方法および装置に関しする多くの付加的変形変化は上記の説明に鑑みて当業者には明らかになるだろう。そのような変形は範囲内であると考えられる。種々の実施例の方法および装置はＣＤＭＡ、直交周波数分割多重（ＯＦＤＭ）、および／またはアクセスノードと移動ノード間の無線通信リンクを提供するために用いられるかもしれない他の種々の形式の通信技術と共に用いられるかもしれないし、種々の実施例においては用いられる。いくつかの実施例において、アクセスノードはＯＦＤＭおよび／またはＣＤＭＡを用いて移動ノードとの通信リンクを確立する基地局として実施される。種々の実施例において、移動ノードは種々の実施例の方法を実施するための、受信機／送信機回路およびロジック並びに／またはルーチンを含むノート形計算機、携帯用情報端末（ＰＤＡ）、または他の携帯機器として実施される。
【図面の簡単な説明】
【０１３１】
【図１】本発明の、種々の実施例に従って実施される地理的領域内の代表的コグニティブ無線ネットワークを示す図。
【図２】本発明の、種々の実施例に従って実施されるコグニティブ無線ネットワークにおいてスペクトル帯域の使用を制御するためにビーコン信号を用いる代表的方法のラダー図。
【図３】本発明の、種々の実施例に従って実施される種々の代表的ビーコン信号、例えばシステムおよび／またはユーザビーコン信号を示す図。
【図４】本発明の、種々の実施例に従って実施されるタイミング同期情報を利用する実施例を示す図。
【図５】本発明の、種々の実施例に従って実施される代表的無線端末によって用いられる方法のフローチャートを示す図。
【図６】本発明における、ビーコン信号バーストに対して監視をし、予測ビーコン監視区間に従ってビーコンバーストを送信する一実施例を示す図。
【図７】本発明の、種々の実施例に従って実施される代表的無線端末の詳細な例示図。
【図８】本発明の、種々の実施例に従って、移動ノードのような無線通信機器を動作させる代表的方法のフローチャートを示す図。
【図８Ａ】図８の一部を示す図。
【図８Ｂ】図８の一部を示す図。
【図９】本発明の、種々の実施例に従って実施される代表的無線端末、例えば移動ノードの図。
【図１０】本発明の、種々の実施例に従って無線通信機器を動作させる代表的方法のフローチャートの図。
【図１１】本発明の、種々の実施例に従って実施される代表的無線端末、例えば移動ノードの図。
【図１２】本発明の、種々の実施例に従う無線通信機器を動作させる代表的方法のフローチャートの図。
【図１３】本発明の、種々の実施例に従って実施される代表的無線端末、例えば移動ノードの図。
【図１】
2009523378.tif 000003
【図２】
2009523378.tif 000004
【図３】
2009523378.tif 000005
【図４】
2009523378.tif 000006
【図５】
2009523378.tif 000007
【図６】
2009523378.tif 000008
【図７】
2009523378.tif 000009
【図８】
2009523378.tif 000010
【図８Ａ】
2009523378.tif 000011
【図８Ｂ】
2009523378.tif 000012
【図９】
2009523378.tif 000013
【図１０】
2009523378.tif 000014
【図１１】
2009523378.tif 000015
【図１２】
2009523378.tif 000016
【図１３】
2009523378.tif 000017
【国際調査報告】
2009523378.tif 000018
2009523378.tif 000019
2009523378.tif 000020